(57)【要約】【課題】本発明の目的は、２ｌ以上の大容量の薄壁容器の製造方法において、下記の段階、すなわち、首１２及び栓１６を受けるための口１４を備えるプリフォーム１０から熱間または冷間成形によって所望の容量に成形し、このプリフォームは所望の容量の成形後残留応力を示すことができ、及び、該容器の材料の重さ／広げた表面積の割合が１５０〜２５０ｇ／ｍ２、特に１５０〜２００ｇ／ｍ２の範囲にあるように使用することからなる方法である。本発明は、また、その容器及び容器の収容装置に関する。【選択図】図７
2011500458.tif 000002
【特許請求の範囲】
【請求項１】
２ｌ以上の大容量の薄壁容器の製造方法において、下記の段階、すなわち、
‐首（１２）及び栓（１６）を受けるための口（１４）を備えるプリフォーム（１０）から熱間または冷間成形によって所望の容量に成形し、このプリフォームは所望の容量の成形後残留応力を示すことができ、及び
‐該容器の材料の重さ／広げた表面積の割合が１５０〜２５０ｇ／ｍ２、特に１５０〜２００ｇ／ｍ２の範囲にあるように使用する
ことからなる方法。
【請求項２】
材料は、ＰＥＴ（ポリエチレンテレフタレート）であることを特徴とする請求項１に記載の大容量容器の製造方法。
【請求項３】
上記容器は、充填され、栓を閉じた後、加熱段階を受け、それによって可操作性になることを特徴とする請求項１に記載の大容量容器の製造方法。
【請求項４】
孔をあけることのできる、エラストマー製の栓（１６）を備えることを特徴とする請求項１〜３に記載の方法によって得られる２ｌ以上の大容量の薄壁容器（２０）。
【請求項５】
トロカール（２６）を備える台（２４）、分注回路（２８）及び口を下方に向けて、上記容器（２０）を収容し、該容器（２０）の保持及び栓（１６）がこのトロカール（２６）に垂直になるように案内することを確実にする収容手段（３０）を備えることを特徴とする請求項４に記載の薄壁容器（２０）の収容及び設置装置。
【発明の詳細な説明】
【技術分野】
【０００１】
本発明は、大容量の薄壁容器の製造方法及び製造される容器に関するものである。
【０００２】
本発明は、また、この薄壁容器の収容及び設置装置に関するものである。
【背景技術】
【０００３】
ミネラルウォーターの分野では、通常は最大容量が２ｌの個々のボトルでの流通が行われている。実際、それ以上では、重さのために操作が困難になる。また、６本のボトルをパックにしての運搬は、はめ込み式のベルトによって構成された取手が結合された収縮フィルムによる梱包としては、重さが最大限になる。
【０００４】
家庭内でも、団体でも、より大きな容量への要求があることが確かめられた。大きさの程度を決定すると、問題となる容量は２０ｌである。
【０００５】
操作に十分な剛性を備える容器を実現するために、これらの容器は、ポリカーボネート製の厚壁容器の形状で形成される。材料の選択及び壁の厚さが大きいことによって、物理的に極めて耐性があるようになるが、その耐性は、実施される使用法及び容器が受ける操作のために必要であることは明らかである。
【０００６】
これらの容器は、充填されているとき、その剛性のおかげで気軽に操作することができるが、空の容器の重さが大きい。
【０００７】
少量を供給して、例えば、コップ一杯分を満たすように操作することができないそのような容器の重さを考慮すると、これらの容器は収容された液体を注ぐための分注装置と組み合わされて使用される。
【０００８】
飲料供給器の名称で周知のそのような装置は、容器の首と口を収容するための台を備えており、容器は口を下方に向けて設置される。この台によって、容器の物理的な保持と流体の接続が確実になる。
【０００９】
容器の口は、例えば頭部に接続されるためのボール付栓を備える。この頭部は、少なくとも一つの分注コックを備える分注手段に接続されている。
【００１０】
ある分注装置では、容器から抽出した後の水を加熱または冷却するための少なくとも一つの補足の回路を備えており、容器自体は、それが収容する水と同様に常に周囲温度である。
【００１１】
これらの容器は、それらの材料の重さが大きいこと及びそれらの容器を複数回梱包することを可能にするための製造方法を考慮すると、製造コストが高い。ところが、再利用は可能であるが、それには、多数の制約が付随する。
【００１２】
一つの制約は、充填された容器の配送機構を場合によっては組織化することであり、空の容器の回収機構の組織化は常に制約となっている。
【００１３】
もう一つの制約は、基本的に必要かつ必須の充填された容器の管理に加えて、これらの空容器の貯蔵管理である。
【００１４】
また、ユーザは、充填された容器に加えて、空容器の回収を待って管理しなければならないことが注目される。
【００１５】
空容器は、使用した栓を除去し、次に洗浄し、充填前にその場で殺菌して、準備する必要があり、それ以前の使用は管理されていないので、これには大きな危険性がある。
【００１６】
これは、クリーニング処理が複雑なので、衛生的な面から満足できるものなく、必然的に容器の損失率を大きくすることになる。
【００１７】
容器をミネラルウォーターで充填するためには、使用する方法に関わらず、容器を充填して、新しい栓を据え付ける必要がある。
【００１８】
耐用期間の終了後または劣化の場合、使用不可になったこれらのポリカーボネート製容器を破壊及び／またはリサイクルする必要があることが分かっているので、これらの制約は既に高いコストの原因となっている。
【００１９】
容器は分注装置に直接陳列されるので、外観が美しいものがふさわしく、それによって、丁寧な操作とたびたび取り替えることが必要になる。
【００２０】
また別の制約は、特に僅かな流量での分注の場合にこれらの容器を使用することから生じるものであり、それは容器の内容物の使用期間を数日間に伸ばす。
【００２１】
実際、水の採取があるとき、容器は剛性なので、採取された容量を補正するため、空気の吸引が生じる。
【００２２】
したがって、補正周囲空気が泡として導入され、その空気が運ぶあらゆる微生物と一緒に容器内にある液体容積を通過し、この空気は消費期間中ずっと水と接触する。この空気の量は、採取に伴って増大する。
【００２３】
これは、クリーニング処理が複雑なので、衛生的な面から満足できるものなく、必然的に容器の損失率を大きくすることになる。
【００２４】
一つの解決法は、小型の使い捨て容器を使用することからなるが、そのような容量、例えば、２０ｌの小型では操作の問題が生じる。
【００２５】
材料の重さが小さくなったポリエチレン製の容器が存在する。
【００２６】
しかしながら、これらの容器は、特殊な形状を示し、特に特許文献１、２及び３に記載されている。
【００２７】
しかし、このようにして作成される容器は材料量を増やさずに形成することができないので、そのような構成は大容量とは両立しない。
【先行技術文献】
【特許文献】
【００２８】
【特許文献１】国際特許出願第０３／０３３３６１号
【特許文献２】欧州特許出願第１４６８９３０号
【特許文献３】欧州特許出願第１５２７９９９号
【発明の概要】
【課題を解決するための手段】
【００２９】
本発明は、使用前に取り扱い可能な、特にミネラルウォーターを収容するための、材料の重さが減少した使い捨ての大容量薄壁容器を提案することを目的とする。
【００３０】
本発明は、また、この容器の収容及び設置装置を目的とする。
【００３１】
本発明は、添付図面を参照して、一実施態様によって下記に説明される。
【図面の簡単な説明】
【００３２】
【図１】薄壁容器の形成の概略的な一覧図である。
【図２】薄壁容器の形成の概略的な一覧図である。
【図３】薄壁容器の形成の概略的な一覧図である。
【図４】薄壁容器の形成の概略的な一覧図である。
【図５】この容器の収容及び設置装置の概略的な一覧図である。
【図６】この容器の収容及び設置装置の概略的な一覧図である。
【図７】この容器の収容及び設置装置の概略的な一覧図である。
【発明を実施するための形態】
【００３３】
図１、２、３及び４に示した本発明による薄壁容器は、首１２及び栓１６を受けるための口１４を備えるプリフォーム１０から熱間または冷間成形によって製造される。
【００３４】
このプリフォーム（図１）は、所望の容量に成形された後残留応力を示すことができる材料で形成される。
【００３５】
本発明による２ｌ以上の大容量の薄壁容器の製造方法は、下記の段階、すなわち、
‐首１２及び栓１６を受けるための口１４を備えるプリフォーム１０から熱間または冷間成形によって所望の容量に成形し、このプリフォームは所望の容量の成形後残留応力を示すことができ、及び
‐該容器の材料の重さ／広げた表面積の割合が１５０〜２５０ｇ／ｍ２の範囲にあるようにして使用する
ことからなる。
【００３６】
この成形は、所望の容量の容器を製造する（図２）ためのプリフォーム１０のブロー成形方法であることがある。
【００３７】
材料の選択としては、好ましくは、ＰＥＴ（ポリエチレンテレフタレート）が使用され、ＰＥＴはその透明性、低密度、適合性、機械抵抗だけでなく、その保存性、低透過性、及び、所望の容量への成形後の残留応力の存在によっても知られている。
【００３８】
この容器は、特にミネラルウォーターの場合、加圧せずに、冷却保存される。
【００３９】
次に、栓１６、好ましくは、孔をあけることのできるエラストマー製の栓を使用して、容器１８を閉じる（図３を参照）。
【００４０】
また、薄い壁を備え、大容量の各容器１８は、充填直後には操作が困難になる。
【００４１】
そのため、この容器１８は、材料内に蓄積された残留応力を放出するための周縁部の加熱を受ける。放出されたこれらの応力は、容器をブロー成形前の初期形状、すなわち、プリフォームの形状に戻す傾向がある。容器の容量を小さくしようとするこの傾向と、収容された液体、この場合には水は非圧縮性であることから、容器による液体への加圧が生じ、それによって、この容器２０はかなりコンパクトになり、したがって、可操作性になる。（図４を参照）。
【００４２】
容器の周縁部の加熱は、例えば、熱風による加熱でよい。
【００４３】
実際、この場合、壁だけが直接的に温度上昇する。また、材料はほとんど導体ではなく、熱量を吸収する。容器の中の流体、この場合、水は、塊として考慮すると、温度上昇はしない。
【００４４】
このようにして得られた大容量容器２０は、操作及び運搬が可能である。
【００４５】
図５、６及び７には、容器２０の収容及び設置装置２２が図示されている。
【００４６】
この装置は、少なくとも以下の部品、すなわち、採取手段２５を備える台２４、分注回路２８及び容器２０の収容手段３０を備える（概略的な図５を参照）。
【００４７】
収容手段３０は、容器２０の保持及び栓１６がトロカールの場合は採取手段２５に垂直に来るように、その案内を確実にすることを目的とする。
【００４８】
したがって、装置を使用するためには、容器２０を、口を下方に向けて収容手段３０内に設置すればよい。
【００４９】
容器２０は、ほぼ剛性であり、容易に配置することができる。
【００５０】
この容器２０が下部に達すると、容器２０自体の重さの作用で、トロカールによって栓に孔が形成される。この孔は気密性である。容器１８の剛性がまたほぼなくなり、操作できなくなると、しかし、この容器は収容手段によって保持されており、それは不都合ではなく、反対に利点となる。
【００５１】
液体、この場合には、水は、分注回路２８から採取できる。
【００５２】
内部超過圧力は約０．１バールと極めて微弱なので、栓に孔を形成すると直後に消滅し、回路はこれらのあらゆる設備と同様に重力だけを受ける。
【００５３】
採取するにつれて、容器は空になるが、だからと言って、空気を導入する必要はない。実際、容器１８のつぶれ現象によって、採取した液体容量は補正されず、容器の壁が互いに張りつくようになる。
【００５４】
バーベルの形状のある程度の重さ、例えば二キロの重さを有する蓋３２を備えることも可能であり、この蓋は並進自在であり、それによって、その設置期間の間容器１８に圧力を加える。
【００５５】
容器１８が空になり、場合によっては蓋／バーベルが取り外されると、トロカールによって管理された開口部の自動蓋作用を確実にするので、該容器を引っぱるためには、エラストマーの栓は引っ張り力をかければ十分である。
【００５６】
使い捨ての容器１８は、リサイクルされる別の梱包材料と共に置かれる
【００５７】
この容器は、空のとき、小型に類似しており、したがって、ほとんど場所をとらない。特にその容積は極めて減少しており、容器が充填されていたとき初期に占めていた容積とは比較できない。
【００５８】
ユーザは、空の容器を管理する必要が全くない。
【００５９】
ユーザは、その場で操作できる新しい容器２０を設置する。
【００６０】
本発明による使い捨ての薄壁容器１８、２０は、特に利点があり、本発明による収容及び設置装置と共に使用される。
【００６１】
設計及び配置はより自由に表現できるので、特定の飲料供給器を開発することができる。しかし、現在の飲料供給器を変更して、トロカール２６を備える台２４と収容及び設置装置を備えるようすることができることが分かる。
【００６２】
このようにして、本発明によると、本発明による容器の製造方法によって、２ｌ以上の大容量の容器に関する操作の問題を、薄い壁及び該容器の材料の重さと広げた表面積との間の極めて興味深い割合を保持したまま、解決することができる。
【００６３】
本発明による方法の別の好ましい事実は、現在の容器製造設備の使用であり、部位の変更が少なくなり、コストが低いことである。
【００６４】
このようにして得られた大容量の薄壁容器には、実際、価格、重さ、再充填に必要な回路の点から考えられなかった、多数の用途の見通しがある。
【００６５】
結局、梱包材料に戻すことが解消されるので、ユーザはその消費に応じて自分自身でストックを管理して、販売業者から直接仕入れることができ、したがって、ロジスティックを単純化することが考えられる。
【００６６】
上記の説明は、エラストマー栓に組み合わせたトロカールを使用して行ったが、他の類似した採取手段のいずれでも使用することができる。
【符号の説明】
【００６７】
１０    プリフォーム
１２    首
１４    口
１６    栓
２０    容器
２４    台
２６    トロカール
２８    分注回路
３０    収容装置
【図１】
2011500458.tif 000003
【図２】
2011500458.tif 000004
【図３】
2011500458.tif 000005
【図４】
2011500458.tif 000006
【図５】
2011500458.tif 000007
【図６】
2011500458.tif 000008
【図７】
2011500458.tif 000009
【国際調査報告】
2011500458.tif 000010
2011500458.tif 000011
2011500458.tif 000012
2011500458.tif 000013
2011500458.tif 000014
2011500458.tif 000015
2011500458.tif 000016
2011500458.tif 000017
2011500458.tif 000018
2011500458.tif 000019